(57)【要約】【課題】液体カートリッジのＩＣ基板への異物の付着を低減する。【解決手段】カートリッジ装着部１１０に前方へ挿入されて装着されるインクカートリッジ３０は、インクを貯留可能な第１貯留室３２を有する筐体３１と、上方を向いて配置されておりカートリッジ装着部１１０の接点１０６と接触可能なＩＣ基板６４と、ＩＣ基板６４を上方から覆う第１位置、及びＩＣ基板６４を上方から覆わない第２位置に移動可能に、筐体３１に支持されている移動部材１６０と、を備える。【選択図】図１６
2019064044.tif 000002
【特許請求の範囲】
【請求項１】
装着部に対して、重力方向と交差する前後方向に挿入または脱抜可能であって、前方へ挿入される液体カートリッジであって、
液体を貯留可能な内部空間と、上記液体カートリッジが上記装着部に装着された装着状態において上記前後方向に延び、前方へ開口した液体供給口を通じて上記内部空間と上記液体カートリッジの外部とを連通する液体流路とを有する本体と、
上記装着状態において上記装着部に設けられた接点と接触可能であって、起立状態において重力方向と反対の上方を向く電気的インターフェースと、
上記電気的インターフェースを上方から覆う第１位置、及び上記電気的インターフェースを上方から覆わない第２位置に移動可能に、上記本体に支持されている移動部材と、を備える液体カートリッジ。
【請求項２】
上記第１位置は、上記第２位置に対して上記前後方向に離れた位置であり、
上記移動部材は、上記第１位置及び上記第２位置にスライド可能に、上記本体に支持されている請求項１に記載の液体カートリッジ。
【請求項３】
上記第２位置は、上記第１位置よりも後方に位置する請求項２に記載の液体カートリッジ。
【請求項４】
上記移動部材を上記第１位置へ付勢する付勢部材を備える請求項３に記載の液体カートリッジ。
【請求項５】
上記本体の上面における上記電気的インターフェースの後方に位置しており、上記装着状態において下方から上記装着部に当接する位置決め面を備え、
上記移動部材の移動範囲は、上記位置決め面よりも前方である請求項２から４のいずれかに記載の液体カートリッジ。
【請求項６】
上記本体の上面における上記電気的インターフェースの前方に位置しており、外部から照射された光を遮断または減衰する被照射部を備え、
上記移動部材の移動範囲は、上記被照射部よりも後方である請求項２から５のいずれかに記載の液体カートリッジ。
【請求項７】
上記液体カートリッジは、後方へ向かう付勢力に抗して上記装着部に挿入されるものであり、
上記電気的インターフェースの後方に位置しており、上記装着状態において上記装着部に係合して上記液体カートリッジを上記装着状態に維持するための係合面を備え、
上記装着状態において、上記係合面が上記装着部に設けられた被当接部と当接する第１姿勢と、上記係合面が上記被当接部よりも下方に位置して上記被当接部と当接しない第２姿勢とに姿勢変化可能であり、
上記移動部材の移動範囲は、上記係合面よりも前方である請求項２から６のいずれかに記載の液体カートリッジ。
【請求項８】
上記電気的インターフェースの後方に位置しており、上記係合面を備え、上記液体カートリッジを上記装着状態に保持する保持部と、
上記本体の上面における上記電気的インターフェースの前方に位置しており、外部から照射された光を遮断または減衰する被照射部と、を備え、
上記前後方向及び上記重力方向と直交する方向に視て、上記移動部材の少なくとも一部は、上記保持部と上記被照射部とを通る仮想線のうち最も上方に位置する仮想線よりも上方に位置する請求項７に記載の液体カートリッジ。
【請求項９】
請求項１から８のいずれかに記載の液体カートリッジと、
上記液体カートリッジが重力方向と交差する前後方向に挿入または脱抜可能であって、前方へ向けて挿入される装着部と、
上記装着部に挿入された上記液体カートリッジの上記内部空間に貯留された液体を消費する消費部と、を備え、
上記装着部は、
後方へ突出した中空の液体供給管と、
上記電気的インターフェースと接触可能な接点と、を備え、
上記液体供給管の基端は、液体が流通する流路を通じて上記消費部と連通しており、
上記液体供給管の先端は、開口しており、
上記液体カートリッジが上記装着部に挿入される過程において、上記液体供給管は上記液体供給口を通じて上記液体流路に進入し、
上記液体カートリッジが上記装着部に装着された装着状態において、上記接点は上記電気的インターフェースと接触しているシステム。
【請求項１０】
上記液体カートリッジは、上記本体の上面における上記電気的インターフェースの前方に位置しており、外部から照射された光を遮断または減衰する被照射部を備え、
上記装着部は、光を照射する光学センサを備え、
上記光学センサは、上記液体カートリッジが上記装着部に装着された状態において、上記光学センサから照射される光の光路上に上記被照射部が位置する位置に配置されており、
上記移動部材の移動範囲は、上記被照射部よりも後方である請求項９に記載のシステム。
【請求項１１】
上記液体カートリッジは、後方へ向かう付勢力に抗して上記装着部に挿入されるものであり、
上記液体カートリッジは、上記本体の上面における上記電気的インターフェースの後方に位置しており、上記装着状態において上記装着部に係合して上記液体カートリッジを上記装着状態に維持するための係合面を備え、
上記装着部は、上記係合面と当接可能な被当接部と、を備え、
上記液体カートリッジは、上記装着状態において、上記係合面が上記被当接部と当接する第１姿勢と、上記係合面が上記被当接部よりも下方に位置して上記被当接部と当接しない第２姿勢とに姿勢変化可能であり、
上記移動部材の移動範囲は、上記係合面よりも前方である請求項９または１０に記載のシステム。
【発明の詳細な説明】
【技術分野】
【０００１】
本発明は、液体を貯留する液体カートリッジ、及び、当該液体カートリッジと当該液体カートリッジが装着可能な装着部とを備えるシステム、に関する。
【背景技術】
【０００２】
上記のようなシステムの一例として、インクカートリッジが装着部に対して装着及び脱抜可能なインクジェット記録装置が知られている。
【０００３】
インクカートリッジには、ＩＣ基板が設けられたものがある（特許文献１参照）。ＩＣ基板には、インクの色、材料、貯留量などの情報が記憶されたメモリが実装されている。また、ＩＣ基板には、電極が形成されている。電極は、インクカートリッジが装着部に装着された状態において、装着部に設けられた接点と電気的に導通される。これにより、メモリに記憶されている情報が読み出し可能となる。
【先行技術文献】
【特許文献】
【０００４】
【特許文献１】特開２０１３−４９１６４号公報
【発明の概要】
【発明が解決しようとする課題】
【０００５】
しかしながら、特許文献１に開示されたインクカートリッジでは、ＩＣ基板は、インクカートリッジの外部に露出している。そのため、ＩＣ基板には、塵などの異物が付着し易い。ＩＣ基板に異物が付着していると、インクカートリッジが装着部に装着された状態において、ＩＣ基板と装着部に設けられた接点とが電気的に導通されないおそれがある。
【０００６】
本発明は、前述された事情に鑑みてなされたものであり、その目的は、ＩＣ基板への異物の付着を低減できる手段を提供することにある。
【課題を解決するための手段】
【０００７】
(1)  本発明に係る液体カートリッジは、装着部に対して、重力方向と交差する前後方向に挿入または脱抜可能であって、前方へ挿入される。本発明に係る液体カートリッジは、液体を貯留可能な内部空間と、上記液体カートリッジが上記装着部に装着された装着状態において上記前後方向に延び、前方へ開口した液体供給口を通じて上記内部空間と上記液体カートリッジの外部とを連通する液体流路とを有する本体と、上記装着状態において上記装着部に設けられた接点と接触可能であって、起立状態において重力方向と反対の上方を向く電気的インターフェースと、上記電気的インターフェースを上方から覆う第１位置、及び上記電気的インターフェースを上方から覆わない第２位置に移動可能に、上記本体に支持されている移動部材と、を備える。
【０００８】
上記構成によれば、移動部材を第１位置に位置させることによって、電気的インターフェースへの異物の付着を低減することができる。また、移動部材を第２位置に位置させることによって、電気的インターフェースを接点との接触が可能な状態とすることができる。
【０００９】
(2)  上記第１位置は、上記第２位置に対して上記前後方向に離れた位置である。上記移動部材は、上記第１位置及び上記第２位置にスライド可能に、上記本体に支持されている。
【００１０】
上記構成によれば、移動部材が第１位置及び第２位置に移動する構成を単純な構成で実現することができる。
【００１１】
(3)  上記第２位置は、上記第１位置よりも後方に位置する。
【００１２】
上記構成によれば、液体カートリッジが装着部に装着される過程において、移動部材が装着部に前方から当接されて後方へ押される構成とすることで、液体カートリッジの装着部への装着に連動して、移動部材を第１位置から第２位置へ移動させることができる。
【００１３】
(4)  本発明に係る液体カートリッジは、上記移動部材を上記第１位置へ付勢する付勢部材を備える。
【００１４】
上記構成によれば、液体カートリッジが装着部に装着される過程において、移動部材が装着部に前方から当接されて後方へ押される構成とすることで、液体カートリッジの装着部への装着に連動して、移動部材を付勢部材の付勢力に抗して第１位置から第２位置へ移動させることができる。
【００１５】
また、上記構成によれば、液体カートリッジが装着部から脱抜されると、移動部材は付勢部材に付勢されて第２位置から第１位置へ移動する。つまり、液体カートリッジの装着部からの脱抜に連動して、移動部材を第２位置から第１位置へ移動させることができる。
【００１６】
(5)  本発明に係る液体カートリッジは、上記本体の上面における上記電気的インターフェースの後方に位置しており、上記装着状態において下方から上記装着部に当接する位置決め面を備える。上記移動部材の移動範囲は、上記位置決め面よりも前方である。
【００１７】
上記構成のように移動部材の移動範囲を制限することによって、移動部材の第１位置及び第２位置の間の移動距離が短くなる。これにより、移動部材の移動時におけるがたつきを低減することができる。その結果、移動部材が他の部材に引っ掛かることによって移動部材の移動が阻害されることを低減することができる。
【００１８】
(6)  本発明に係る液体カートリッジは、上記本体の上面における上記電気的インターフェースの前方に位置しており、外部から照射された光を遮断または減衰する被照射部を備える。上記移動部材の移動範囲は、上記被照射部よりも後方である。
【００１９】
上記構成のように移動部材の移動範囲を制限することによって、移動部材の第１位置及び第２位置の間の移動距離が短くなる。これにより、移動部材の移動時におけるがたつきを低減することができる。その結果、移動部材が他の部材に引っ掛かることによって移動部材の移動が阻害されることを低減することができる。
【００２０】
(7)  本発明に係る液体カートリッジは、後方へ向かう付勢力に抗して上記装着部に挿入されるものである。本発明に係る液体カートリッジは、上記電気的インターフェースの後方に位置しており、上記装着状態において上記装着部に係合して上記液体カートリッジを上記装着状態に維持するための係合面を備える。上記装着状態において、上記係合面が上記装着部に設けられた被当接部と当接する第１姿勢と、上記係合面が上記被当接部よりも下方に位置して上記被当接部と当接しない第２姿勢とに姿勢変化可能である。上記移動部材の移動範囲は、上記係合面よりも前方である。
【００２１】
上記構成のように移動部材の移動範囲を制限することによって、移動部材の第１位置及び第２位置の間の移動距離が短くなる。これにより、移動部材の移動時におけるがたつきを低減することができる。その結果、移動部材が他の部材に引っ掛かることによって移動部材の移動が阻害されることを低減することができる。
【００２２】
(8)  本発明に係る液体カートリッジは、上記電気的インターフェースの後方に位置しており、上記係合面を備え、上記液体カートリッジを上記装着状態に保持する保持部と、上記本体の上面における上記電気的インターフェースの前方に位置しており、外部から照射された光を遮断または減衰する被照射部と、を備える。上記前後方向及び上記重力方向と直交する方向に視て、上記移動部材の少なくとも一部は、上記保持部と上記被照射部とを通る仮想線のうち最も上方に位置する仮想線よりも上方に位置する。
【００２３】
上記構成によれば、本体の上面が下になる姿勢で液体カートリッジが落下したときに、移動部材を地面などに優先して衝突させることによって、被照射部や保持部が地面などに衝突する可能性を低くすることができる。これにより、被照射部や保持部が外部から衝撃を受けて破損する可能性を低くすることができる。
【００２４】
(9)  本発明に係るシステムは、上記液体カートリッジと、上記液体カートリッジが重力方向と交差する前後方向に挿入または脱抜可能であって、前方へ向けて挿入される装着部と、上記装着部に挿入された上記液体カートリッジの上記内部空間に貯留された液体を消費する消費部と、を備える。上記装着部は、後方へ突出した中空の液体供給管と、上記電気的インターフェースと接触可能な接点と、を備える。上記液体供給管の基端は、液体が流通する流路を通じて上記消費部と連通している。上記液体供給管の先端は、開口している。上記液体カートリッジが上記装着部に挿入される過程において、上記液体供給管は上記液体供給口を通じて上記液体流路に進入する。上記液体カートリッジが上記装着部に装着された装着状態において、上記接点は上記電気的インターフェースと接触している。
【００２５】
上記構成によれば、移動部材を第１位置に位置させることによって、電気的インターフェースへの異物の付着を低減することができる。また、移動部材を第２位置に位置させることによって、電気的インターフェースを接点との接触が可能な状態とすることができる。
【００２６】
(10)  上記液体カートリッジは、上記本体の上面における上記電気的インターフェースの前方に位置しており、外部から照射された光を遮断または減衰する被照射部を備える。上記装着部は、光を照射する光学センサを備える。上記光学センサは、上記液体カートリッジが上記装着部に装着された状態において、上記光学センサから照射される光の光路上に上記被照射部が位置する位置に配置されている。上記移動部材の移動範囲は、上記被照射部よりも後方である。
【００２７】
上記構成のように移動部材の移動範囲を制限することによって、移動部材の第１位置及び第２位置の間の移動距離が短くなる。これにより、移動部材の移動時におけるがたつきを低減することができる。その結果、移動部材が他の部材に引っ掛かることによって移動部材の移動が阻害されることを低減することができる。
【００２８】
(11)  上記液体カートリッジは、後方へ向かう付勢力に抗して上記装着部に挿入されるものである。上記液体カートリッジは、上記本体の上面における上記電気的インターフェースの後方に位置しており、上記装着状態において上記装着部に係合して上記液体カートリッジを上記装着状態に維持するための係合面を備える。上記装着部は、上記係合面と当接可能な被当接部と、を備える。上記液体カートリッジは、上記装着状態において、上記係合面が上記被当接部と当接する第１姿勢と、上記係合面が上記被当接部よりも下方に位置して上記被当接部と当接しない第２姿勢とに姿勢変化可能である。上記移動部材の移動範囲は、上記係合面よりも前方である。
【００２９】
上記構成のように移動部材の移動範囲を制限することによって、移動部材の第１位置及び第２位置の間の移動距離が短くなる。これにより、移動部材の移動時におけるがたつきを低減することができる。その結果、移動部材が他の部材に引っ掛かることによって移動部材の移動が阻害されることを低減することができる。
【発明の効果】
【００３０】
本発明によれば、電気的インターフェースへの異物の付着を低減できる。
【図面の簡単な説明】
【００３１】
【図１】図１は、プリンタ１０の内部構造を模式的に示す縦断面図である。
【図２】図２は、カートリッジ装着部１１０の開口１１２側の外観斜視図である。
【図３】図３は、カートリッジ装着部１１０にインクカートリッジ３０が装着されて第１姿勢である状態の縦断面図である。
【図４】図４は、インクカートリッジ３０の前方斜視図である。
【図５】図５は、インクカートリッジ３０の後方斜視図である。
【図６】図６（Ａ）は、インクカートリッジ３０の右側面図であり、図６（Ｂ）は、インクカートリッジ３０の背面図である。
【図７】図７は、図６（Ｂ）におけるＶＩＩ−ＶＩＩ断面を示す断面図である。
【図８】図８は、カートリッジ装着部１１０にインクカートリッジ３０が装着されて第２姿勢である状態の縦断面図である。
【図９】図９は、図６（Ａ）におけるＩＸ−ＩＸ断面を示す模式断面図である。
【図１０】図１０は、インクカートリッジ３０の平面図であり、（Ａ）には移動部材１６０が第１位置である状態が示されており、（Ｂ）には移動部材１６０が第２位置である状態が示されている。
【図１１】図１１は、インクカートリッジ３０のカートリッジ装着部１１０への挿入検知を説明するためのフローチャートである。
【図１２】図１２は、インクカートリッジ３０のカートリッジ装着部１１０への挿入検知を説明するためのフローチャートである。
【図１３】図１３は、変形例におけるインクカートリッジ３０の縦断面図であり、移動部材１６０が第１位置である状態が示されている。
【図１４】図１４は、変形例におけるインクカートリッジ３０の縦断面図であり、移動部材１６０が第２位置である状態が示されている。
【図１５】図１５は、変形例におけるインクカートリッジ３０の平面図である。
【図１６】図１６は、変形例におけるカートリッジ装着部１１０の外観斜視図である。
【発明を実施するための形態】
【００３２】
以下、適宜図面を参照して本発明の実施形態について説明する。なお、以下に説明される実施形態は本発明が具体化された一例にすぎず、本発明の要旨を変更しない範囲で実施形態を適宜変更できることは言うまでもない。
【００３３】
また、以下の説明では、インクカートリッジ３０がカートリッジ装着部１１０に挿入される方向が前方向５１と定義される。本実施形態において、挿入方向は重力方向と直交する方向である。インクカートリッジ３０がカートリッジ装着部１１０に対し重力方向と直交する方向に挿入可能な姿勢である状態を、起立状態と定義する。また、前方向５１と反対方向であって、インクカートリッジ３０がカートリッジ装着部１１０から脱抜される方向が後方向５２と定義される。本実施形態において、前方向５１及び後方向５２は水平方向であるが、前方向５１及び後方向５２は、重力方向と交差する方向である。また、重力方向が下方向５３と定義され、重力方向と反対方向が上方向５４と定義される。また、前方向５１及び下方向５３と直交する方向が、右方向５５及び左方向５６と定義される。より具体的には、インクカートリッジ３０が起立状態（図４〜図６に示される状態）において、インクカートリッジ３０を後方から前方に視た場合において、右に延びる方向が右方向５５と定義され、左に延びる方向が左方向５６と定義される。
【００３４】
また、前方向５１及び後方向５２は、前後方向と定義される。また、上方向５４及び下方向５３は、上下方向と定義される。また、右方向５５及び左方向５６は、左右方向と定義される。
【００３５】
また、インクカートリッジ３０の起立状態において、左右方向がインクカートリッジ３０の幅方向であり、上下方向がインクカートリッジ３０の高さ方向であり、前後方向がインクカートリッジ３０の奥行方向である。また、本実施形態において、前後方向がインクカートリッジ３０のカートリッジ装着部１１０に対する挿抜方向である。
【００３６】
また、本明細書等において、「前方を向く」とは、前方の成分を含む方向を向くことを含み、「後方を向く」とは、後方の成分を含む方向を向くことを含み、「下方を向く」とは、下方の成分を含む方向を向くことを含み、「上方を向く」とは、上方の成分を含む方向を向くことを含み、「右方を向く」とは、右方の成分を含む方向を向くことを含み、「左方を向く」とは、左方の成分を含む方向を向くことを含む。例えば、「前面が前方を向く」とは、前面が前方を向いていてもよいし、前面が前方に対して傾斜した方向を向いていてもよい。
【００３７】
［プリンタ１０の概要］
図１に示されるように、プリンタ１０（システムの一例）は、インクジェット記録方式に基づいて、用紙に対してインク滴を選択的に吐出することにより画像を記録する。プリンタ１０は、記録ヘッド２１（消費部の一例）と、インク供給装置１００と、インクチューブ２０とを備えている。インクチューブ２０は、記録ヘッド２１及びインク供給装置１００を接続する。インク供給装置１００は、カートリッジ装着部１１０（装着部の一例）を備えている。カートリッジ装着部１１０には、インクカートリッジ３０（液体カートリッジの一例）が装着され得る。カートリッジ装着部１１０は、その一面に開口１１２を備えている。インクカートリッジ３０は、起立状態において、開口１１２を通じてカートリッジ装着部１１０に前方へ挿入されて装着される。インクカートリッジ３０は、起立状態において、カートリッジ装着部１１０から後方へ抜き出される。
【００３８】
インクカートリッジ３０には、プリンタ１０で使用可能なインク（液体の一例）が貯留されている。カートリッジ装着部１１０へのインクカートリッジ３０の装着が完了した状態、つまり装着状態において、インクカートリッジ３０と記録ヘッド２１とは、インクチューブ２０で接続されている。記録ヘッド２１は、サブタンク２８を備えている。サブタンク２８は、インクチューブ２０を通じて供給されるインクを一時的に貯留する。記録ヘッド２１は、インクジェット記録方式によって、サブタンク２８から供給されたインクをノズル２９から選択的に吐出する。具体的には、記録ヘッド２１に設けられたヘッド制御基板（不図示）から各ノズル２９に対応して設けられたピエゾ素子２９Ａに選択的に駆動電圧が印加される。これにより、ノズル２９から選択的にインクが吐出される。つまり、記録ヘッド２１は、カートリッジ装着部１１０に装着されたインクカートリッジ３０に貯留されたインクを消費する。
【００３９】
プリンタ１０は、給送トレイ１５と、給送ローラ２３と、搬送ローラ対２５と、プラテン２６と、排出ローラ対２７と、排出トレイ１６と、を備えている。給送トレイ１５から給送ローラ２３によって搬送路２４へ給送された用紙は、搬送ローラ対２５によってプラテン２６上へ搬送される。記録ヘッド２１は、プラテン２６上を通過する用紙に対してインクを選択的に吐出する。これにより、用紙に画像が記録される。プラテン２６を通過した用紙は、排出ローラ対２７によって、搬送路２４の最下流に設けられた排出トレイ１６に排出される。
【００４０】
［インク供給装置１００］
図１に示されるように、プリンタ１０は、インク供給装置１００を備えている。インク供給装置１００は、記録ヘッド２１にインクを供給する。インク供給装置１００は、インクカートリッジ３０を装着可能なカートリッジ装着部１１０を備えている。なお、図１においては、カートリッジ装着部１１０へのインクカートリッジ３０の装着が完了した状態、つまりインクカートリッジ３０が装着位置に位置する状態が示されている。つまり、図１に示された状態は、装着状態である。すなわち、装着状態において、インクカートリッジ３０は装着位置に位置する。また、装着状態において、インクカートリッジ３０は起立状態である。
【００４１】
［カートリッジ装着部１１０］
図１から図３に示されるように、カートリッジ装着部１１０は、カートリッジケース１０１と、インクニードル１０２（液体供給管の一例）と、タンク１０３と、光学センサ１１３と、接点１０６と、を備えている。カートリッジ装着部１１０には、シアン、マゼンタ、イエロー、ブラックの各色に対応する４つのインクカートリッジ３０が収容可能である。インクニードル１０２、タンク１０３、光学センサ１１３、及び接点１０６は、４つのインクカートリッジ３０それぞれに対応して設けられている。
【００４２】
［カートリッジケース１０１］
図２に示されるように、カートリッジケース１０１は、カートリッジ装着部１１０の筐体を形成する。カートリッジケース１０１は、天面と、底面と、奥面と、開口１１２と、を有する箱形状である。天面は、カートリッジケース１０１の内部空間１１１の天部を画定する。底面は、カートリッジケース１０１の内部空間１１１の底部を画定する。奥面は、カートリッジケース１０１の内部空間１１１の前部を画定する。奥面は、カートリッジケース１０１の内部空間１１１の天部と底部とを繋いでいる。開口１１２は、カートリッジケース１０１における奥面と前後方向に対向する位置に形成されている。開口１１２は、ユーザがプリンタ１０を使用するときに対面する面に露出し得る。
【００４３】
インクカートリッジ３０は、開口１１２を通じてカートリッジケース１０１の内部空間１１１へ挿入される。インクカートリッジ３０は、開口１１２を通じてカートリッジケース１０１の内部空間１１１から抜き出される。カートリッジケース１０１の底部には、ガイド溝１０９が形成されている。インクカートリッジ３０は、ガイド溝１０９にインクカートリッジ３０の下端部が挿入されることによって、前後方向に沿って案内される。カートリッジケース１０１は、３つのプレート１０４を備えている。３つのプレート１０４は、内部空間１１１を上下方向に長い４つの空間に仕切り分ける。プレート１０４によって仕切り分けられた内部空間１１１のそれぞれに、インクカートリッジ３０が収容される。
【００４４】
［インクニードル１０２］
図２及び図３に示されるように、インクニードル１０２は、管状の樹脂からなる。つまり、インクニードル１０２は、中空である。インクニードル１０２は、カートリッジケース１０１の奥面の下部に位置している。インクニードル１０２は、カートリッジケース１０１の奥面において、カートリッジ装着部１１０に装着されたインクカートリッジ３０のインク供給部３４に対応する位置に配置されている。インクニードル１０２は、カートリッジケース１０１の奥面から後方へ突出している。
【００４５】
インクニードル１０２の後端（先端）、及びインクニードル１０２の前端（基端）は、開口している。インクニードル１０２の後端は、インクカートリッジ３０のインク供給口７１に挿入される。インクニードル１０２の前端は、インクチューブ２０と直接的または間接的に接続されている（図１参照）。これにより、インクニードル１０２の内部空間１０２Ａは、インクチューブ２０の内部空間を通じてタンク１０３及び記録ヘッド２１と連通されている。
【００４６】
図２及び図３に示されるように、インクニードル１０２の周囲には、円筒形状のガイド部１０５が配置されている。ガイド部１０５は、カートリッジケース１０１の奥面から後方へ突出している。ガイド部１０５の突出端は、開口している。インクニードル１０２は、ガイド部１０５の中心に配置されている。ガイド部１０５は、インクカートリッジのインク供給部３４が内方に進入する形状である。
【００４７】
インクカートリッジ３０がカートリッジ装着部１１０に前方へ挿入される過程において、つまりインクカートリッジ３０が装着位置へ移動する過程において、インクカートリッジ３０のインク供給部３４がガイド部１０５に進入する（図３参照）。さらにインクカートリッジ３０がカートリッジ装着部１１０に前方へ挿入されると、インクニードル１０２が、前方からインク供給部３４に形成されたインク供給口７１を通じてインクバルブ室３５に進入する。これにより、インクニードル１０２とインク供給部３４とは連結され、インクニードル１０２の内部空間１０２Ａは、インク供給部３４に形成されたインクバルブ室３５と連通される。そして、インクカートリッジ３０の内部に形成された第２貯留室３３に貯留されたインクは、インクバルブ室３５、インクニードル１０２の内部空間１０２Ａを通じて、タンク１０３（図１参照）に流出される。タンク１０３に流出されたインクは、インクチューブ２０（流路の一例）を通じて記録ヘッド２１に流出される。
【００４８】
なお、インクニードル１０２の先端は、平坦であってもよく、尖っていてもよい。また、ガイド部１０５の形状は、インクカートリッジ３０が装着位置に位置することが可能であれば、如何なる形状であってもよいし、ガイド部１０５がカートリッジ装着部１１０に設けられなくてもよい。
【００４９】
［接点１０６］
図３に示されるように、カートリッジケース１０１の各内部空間１１１（図２参照）の天面に、４つの接点１０６が設けられている。４つの接点１０６は、カートリッジケース１０１に収容可能な４つのインクカートリッジ３０に対応して、４組設けられている。
【００５０】
接点１０６は、インクニードル１０２より後方に位置する。接点１０６は、天面からカートリッジケース１０１の内部空間１１１へ向けて下方に突出している。接点１０６は、下方を向いている。接点１０６は、導電性及び弾性を有する部材で構成されている。接点１０６は、上方へ弾性的に変形可能である。各図には詳細に示されていないが、各内部空間１１１に設けられた４つの接点１０６は、左右方向に並んで且つ左右方向に間隔を空けて配置されている。４つの接点１０６の配置は、後述されるインクカートリッジ３０の４つの電極６５の配置に対応している。なお、接点１０６の個数及び電極６５の個数は任意である。
【００５１】
接点１０６は、電気回路を介してプリンタ１０の制御部１（図１参照）に電気的に接続されている。制御部１は、例えばＣＰＵ，ＲＯＭ，ＲＡＭなどからなるものである。接点１０６と対応する電極６５とが接触して電気的に導通されることによって、電圧Ｖｃが電極６５に印加されたり、電極６５がアースされたり、電極６５に電力が供給されたりする。接点１０６と対応する電極６５との電気的な導通により、インクカートリッジ３０のＩＣに格納されたデータにアクセス可能となる。電気回路からの出力は制御部１に入力される。
【００５２】
［ロッド１２５］
図３に示されるように、カートリッジケース１０１の奥面におけるインクニードル１０２より上方に、ロッド１２５が形成されている。ロッド１２５は、カートリッジケース１０１の奥面から後方へ突出している。ロッド１２５は、円筒形状である。ロッド１２５は、装着状態において、つまりインクカートリッジ３０が装着位置に位置する状態において、後述する大気連通口９６へ挿入される。
【００５３】
［光学センサ１１３］
図３に示されるように、カートリッジケース１０１の天面に、光学センサ１１３が配置されている。光学センサ１１３は、ロッド１２５よりも後方且つ接点１０６よりも前方に位置している。光学センサ１１３は、発光部及び受光部を備える。発光部は、受光部よりも右方または左方に、受光部と間隔を空けて配置さている。カートリッジ装着部１１０への装着が完了したインクカートリッジ３０の遮光板６７（図４参照）は、発光部及び受光部の間に位置する。換言すると、発光部及び受光部は、カートリッジ装着部１１０への装着が完了したインクカートリッジ３０の遮光板６７を挟んで対向配置されている。
【００５４】
光学センサ１１３は、発光部から左右方向に沿って照射された光が受光部で受光されたか否かに応じて、異なる検知信号を制御部１（図１参照）へ出力する。例えば、光学センサ１１３は、発光部から照射された光が受光部で受光できない（つまり、受光強度が所定の強度未満である）ことを条件として、ローレベル信号を制御部１へ出力する。一方、光学センサ１１３は、発光部から出力された光が受光部で受光できた（つまり、受光強度が所定の強度以上である）ことを条件として、ハイレベル信号を制御部１へ出力する。
【００５５】
［ロックシャフト１４５］
図３に示されるように、ロックシャフト１４５（被当接部の一例）が、カートリッジケース１０１の天面付近且つ開口１１２付近において、カートリッジケース１０１の左右方向に延出されている。ロックシャフト１４５は、接点１０６より後方に位置する。ロックシャフト１４５は、左右方向に沿って延びる棒状の部材である。ロックシャフト１４５は、例えば、金属の円柱である。ロックシャフト１４５の左右方向の両端は、カートリッジケース１０１の左右方向の両端を画定している壁に固定されている。したがって、ロックシャフト１４５は、カートリッジケース１０１に対して回動等の相対移動をしない。ロックシャフト１４５は、内部空間１１１におけるインクカートリッジ３０が収容可能な４つの空間に亘って左右方向に延びている。インクカートリッジ３０が収容される各空間において、ロックシャフト１４５の周囲には空間が存在する。したがって、ロックシャフト１４５に対して、上方へ向かって、また、後方へ向かってアクセスすることができる。
【００５６】
ロックシャフト１４５は、カートリッジ装着部１１０に装着されたインクカートリッジ３０を装着位置に保持するためのものである。インクカートリッジ３０は、カートリッジ装着部１１０に挿入されて、図８に示される第２姿勢から図３に示される第１姿勢に回動されることにより、ロックシャフト１４５に係合される。これにより、ロックシャフト１４５は、インクカートリッジ３０のコイルばね７８、９８がインクカートリッジ３０を後方へ押す力に抗して、インクカートリッジ３０をカートリッジ装着部１１０内に保持する。
【００５７】
［位置決め部１０７］
図３に示されるように、位置決め部１０７が、カートリッジケース１０１の天面付近に設けられている。位置決め部１０７は、前後方向において、接点１０６とロックシャフト１４５との間に設けられている。位置決め部１０７は、カートリッジケース１０１の天面から下方へ突出する凸形状である。位置決め部１０７は、カートリッジケース１０１と一体に形成されている。位置決め部１０７の下端面が、インクカートリッジ３０の当接面８４と当接し得る。位置決め部１０７の下端面は、接点１０６の下端より若干上方に位置する。
【００５８】
［タンク１０３］
図１に示されるように、カートリッジケース１０１の前方に、タンク１０３が設けられている。タンク１０３は、内部にインクを貯留可能な箱形状である。タンク１０３の上部は、大気連通ポート１２４によって外部へ開口している。これにより、タンク１０３の内部空間は、大気開放されている。タンク１０３の内部空間は、インクニードル１０２の内部空間１０２Ａと連通している。これにより、インクニードル１０２を通じてインクカートリッジ３０から流出したインクがタンク１０３に貯留される。タンク１０３には、インクチューブ２０が接続されている。これにより、タンク１０３の内部空間に貯留されたインクがインクチューブ２０を通じて記録ヘッド２１へ供給される。
【００５９】
［インクカートリッジ３０］
図４〜図６に示されるインクカートリッジ３０はインクが貯留される容器である。図４〜図６に示されているインクカートリッジ３０の状態は、起立状態である。後述するように、インクカートリッジ３０は、前壁４０と、後壁４１と、上壁３９と、下壁４２と、一対の側壁３７、３８とを備える筐体３１（本体の一例）を有するが、装着状態において、後壁４１から前壁４０に向かう方向が前方向５１に一致し、前壁４０から後壁４１に向かう方向が後方向５２に一致し、上壁３９から下壁４２に向かう方向が下方向５３に一致し、下壁４２から上壁３９に向かう方向が上方向５４に一致し、側壁３８から側壁３７へ向かう方向が右方向５５に一致し、側壁３７から側壁３８へ向かう方向が左方向５６に一致する。また、装着状態において、前壁４０の前面は前方を向き、後壁４１の後面は後方を向き、下壁４２の下面は下方を向き、上壁３９の上面は上方を向き、側壁３７の右面は右方を向き、側壁３８の左面は左方を向く。
【００６０】
以下のインクカートリッジ３０の説明において、装着状態であるとして、つまりインクカートリッジ３０が起立状態であるとして、上下方向、前後方向、及び左右方向が規定される。
【００６１】
インクカートリッジ３０は、略直方体形状の筐体３１を有する。本実施形態においては、筐体３１は、下ケース３１Ｌと上カバー３１Ｕとを備える。下ケース３１Ｌは、その内部にインクを貯留する第１貯留室３２及び第２貯留室３３（図７参照）を備える。上カバー３１Ｕは、下ケース３１Ｌより上方に位置する。上カバー３１Ｕは、下ケース３１Ｌに嵌合される。
【００６２】
筐体３１は、全体として、左右方向に沿った寸法が細く、上下方向及び前後方向それぞれに沿った寸法が、左右方向に沿った寸法よりも大きい扁平形状である。
【００６３】
筐体３１は、前壁４０と、後壁４１と、上壁３９と、下壁４２と、一対の側壁３７、３８とを備える。前壁４０と後壁４１とは前後方向に離れている。上壁３９と下壁４２とは上下方向に離れている。一対の側壁３７、３８は左右方向に離れている。上壁３９と下壁４２とは、前後方向において前壁４０と後壁４１との間に形成されている。側壁３７と側壁３８とは、前後方向において前壁４０と後壁４１との間に形成されており、且つ上下方向において上壁３９と下壁４２との間に形成されている。前壁４０、後壁４１、上壁３９、下壁４２、及び一対の側壁３７、３８の各々は、第１貯留室３２、第２貯留室３３、または大気バルブ室３６の少なくとも一つを画定している。
【００６４】
筐体３１において、下ケース３１Ｌにおける少なくとも後壁４１が、第１貯留室３２及び第２貯留室３３に貯留されたインクの液面を外部から視認可能な透光性を有する。
【００６５】
なお、本実施形態では、筐体３１は、下ケース３１Ｌ及び上カバー３１Ｕによって外面を構成するが、１個の箱形のケースによって筐体３１が構成されてもよい。また、筐体３１は、貯留室を画定する内ケースと、外壁を構成する外ケースとに分かれており、外ケース内に内ケースが収容される入れ子構造であってもよい。
【００６６】
図６に示されるように、後壁４１の後面は、上部分４１Ｕと下部分４１Ｌとを備える。上部分４１Ｕは、下部分４１Ｌよりも上方に位置する。下部分４１Ｌは、上部分４１Ｕよりも前方に位置する。上部分４１Ｕ及び下部分４１Ｌは、いずれも平面である。上部分４１Ｕ及び下部分４１Ｌは、相互に直交せずに交差している。下部分４１Ｌは、下壁４２に近づくほど前壁４０に近くなるように上下方向に対して傾斜している。
【００６７】
下壁４２の下面は、前端が後端よりも下方に位置するように、前後方向に対して傾斜した傾斜面である。下壁４２の下面の傾斜角は、水平方向に対して２°〜４°が好ましい。下壁４２の前端は、後述するロック面１５１よりも前方に位置している。下壁４２の後端は、後壁４１の下部分４１Ｌの下端と繋がっている。
【００６８】
筐体３１は、サブ下壁４８を有する。サブ下壁４８は、下壁４２より上方に位置している。サブ下壁４８は、前壁４０の下端と連続して後方へ延びている。サブ下壁４８の前端はインク供給部３４の前端よりも前方に位置し、サブ下壁４８の後端はインク供給部３４の前端より後方に位置する。下壁４２とサブ下壁４８とはサブ前壁４９によって連続している。インク供給部３４は、サブ下壁４８の下方、且つ下壁４２の上方において、サブ前壁４９から前方へ延びている。なお、サブ下壁４８の前端の位置は任意であり、例えば、インク供給部３４の前端よりも後方に位置していてもよい。
【００６９】
なお、インクカートリッジ３０の前壁、後壁、上壁、下壁、及び一対の側壁は、必ずしも１つの壁で構成されている必要はない。例えば、本実施形態の場合、後述するサブ前壁４９及びサブ前壁９５は、前壁４０と共に、インクカートリッジ３０の前壁を構成している。また、サブ下壁４８は、下壁４２と共に、インクカートリッジ３０の下壁を構成している。また、後述するサブ上壁９１（図６参照）は、上壁３９と共に、インクカートリッジ３０の上壁を構成している。
【００７０】
また、インクカートリッジ３０の前壁４０の前面、後壁４１の後面、上壁３９の上面、下壁４２の下面、側壁３７の右面、及び側壁３８の左面は、必ずしも１つの平面をなしている必要はない。
【００７１】
前壁４０の前面は、起立状態のインクカートリッジ３０を前方から後方に視たときに視認し得る面であり、且つ、起立状態のインクカートリッジ３０の前後方向の中心よりも前方に位置する面である。本実施形態において、下壁４２とサブ下壁４８とをつなぐサブ前壁４９の前面は、サブ下壁４８と上壁３９とをつなぐ前壁４０の前面とともに、前壁の前面の一部をなしているといえる。また、インクカートリッジ３０は、サブ下壁４８有しなくてもよい。換言すると、インクカートリッジ３０の前壁４０の前面は、上壁３９と下壁４２とを連続的につなぐ一つの面であってもよい。
【００７２】
後壁４１の後面は、起立状態のインクカートリッジ３０を後方から前方に視たときに視認し得る面であり、且つ、起立状態のインクカートリッジ３０の前後方向の中心よりも後方に位置する面である。
【００７３】
上壁３９の上面は、起立状態のインクカートリッジ３０を上方から下方に視たときに視認し得る面であり、且つ、起立状態のインクカートリッジ３０の上下方向の中心よりも上方に位置する面である。
【００７４】
下壁４２の下面は、起立状態のインクカートリッジ３０を下方から上方に視たときに視認し得る面であり、且つ、起立状態のインクカートリッジ３０の上下方向の中心よりも下方に位置する面である。
【００７５】
側壁３７の右面は、起立状態のインクカートリッジ３０を右方から左方に視たときに視認し得る面であり、且つ、起立状態のインクカートリッジ３０の左右方向の中心よりも右方に位置する面である。
【００７６】
側壁３８の左面は、起立状態のインクカートリッジ３０を左方から右方に視たときに視認し得る面であり、且つ、起立状態のインクカートリッジ３０の左右方向の中心よりも左方に位置する面である。
【００７７】
［保持部］
図４〜図６に示されるように、筐体３１の上壁３９に、凸部４３と操作部９０とが設けられている。操作部９０は、筐体３１の上壁３９においてロック面１５１（係合面の一例）より後方に設けられている。凸部４３は、保持部の一例である。
【００７８】
凸部４３は、前後方向に沿って延びている。凸部４３において後方且つ下方を向く面がロック面１５１である。ロック面１５１は、上壁３９よりも上方に位置している。ロック面１５１は、上下方向に沿って延びている。ロック面１５１は、カートリッジ装着部１１０にインクカートリッジ３０が装着された状態において、ロックシャフト１４５と後方へ向かって接触し得る面である。ロック面１５１がロックシャフト１４５と後方へ向かって接触することにより、つまりロック面１５１がロックシャフト１４５と係合することにより、インクカートリッジ３０がコイルばね７８、９８の付勢力に抗してカートリッジ装着部１１０に保持される。なお、本実施形態においてロック面１５１は前後方向（挿入方向）と交差する面であるが、このような形態に限られない。例えば、ロック面を前後方向に水平に延びる面とし、装着状態でロックシャフトに下方から当接するようにしてもよい。この場合、ロックシャフト１４５とロック面との間にコイルばね７８、９８の付勢力に抗する摩擦力が発生する必要があるが、そのような摩擦力によってインクカートリッジ３０をカートリッジ装着部１１０に保持することができれば、水平面をロック面としてもよい。 
【００７９】
凸部４３においてロック面１５１より前方に、水平面１５４がロック面１５１と連続して設けられている。水平面１５４は、左右方向と前後方向に沿って拡がる面である。水平面１５４より前方に、傾斜面１５５が水平面１５４と連続して設けられている。傾斜面１５５は、上方且つ前方を向いている。傾斜面１５５の水平方向に対する傾斜角は、１５°〜２５°が好ましい。水平面１５４を介してロック面１５１と傾斜面１５５とが連続しているため、ロック面１５１と傾斜面１５５との境界が尖った山形状とならない。傾斜面１５５は、前後方向において、後述されるＩＣ基板６４とロック面１５１との間に位置する。傾斜面１５５及び水平面１５４により、インクカートリッジ３０がカートリッジ装着部１１０に挿入される過程において、ロックシャフト１４５が傾斜面１５５及び水平面１５４に当接しながらロック面１５１より後方まで円滑に案内される。
【００８０】
上壁３９の前端及び後端に、上壁３９の前後方向の中央部分より下方に位置するサブ上壁９１が形成されている。上壁３９の後端に位置するサブ上壁９１の上方に、サブ上壁９１と空間を隔てて操作部９０が配置されている。操作部９０は、上壁３９とサブ上壁９１との境界付近から上方へ向けて凸部４３と同程度まで上方へ突出し、さらに後方且つ下方へ斜め下方向に折れ曲がった平板形状である。操作部９０とサブ上壁９１との間に、リブ９４が設けられている。リブ９４は、操作部９０及びサブ上壁９１に連続しており、且つ後方へ延びている。左右方向に沿ったリブ９４の寸法は、左右方向に沿った操作部９０の寸法及びサブ上壁９１の寸法のそれぞれより小さい。
【００８１】
操作部９０において、上方且つ後方を向く面が操作面９２である。操作面９２とサブ上壁９１とは、前後方向における位置が重複している。換言すれば、インクカートリッジ３０を下方に視たとき、操作面９２とサブ上壁９１とは重複した位置にある。さらに換言すれば、上下方向及び左右方向に延びる仮想面上に、操作面９２とサブ上壁９１とが含まれる。
【００８２】
操作面９２には、複数の突起が、前後方向に間隔を隔てて形成されている。複数の突起により、ユーザが操作面９２を認識しやすくなる。また、ユーザが操作面９２を指で操作するときに、指が操作面９２に対して滑りにくくなる。
【００８３】
操作面９２は、インクカートリッジ３０を下方に視たときに視認可能であり、且つ、インクカートリッジ３０を前方に視たときに視認可能である。操作面９２は、カートリッジ装着部１１０によって装着位置に保持されたインクカートリッジ３０をカートリッジ装着部１１０から取り出すために、ユーザが操作するための面である。なお、操作部９０は、筐体３１と一体に成型されるなどして、筐体３１に対して固定されており、筐体３１に対して回動などの相対移動をしないように構成されている。したがって、操作面９２にユーザから加えられる力は、方向を変えずに筐体３１にそのまま伝達される。
【００８４】
［凸部８３］
図４〜図６に示されるように、筐体３１の上壁３９の上面における凸部４３の前方に、凸部８３が設けられている。凸部８３の左右方向の位置は凸部４３と同じである。凸部８３は、凸部４３の前端と連続して前方へ延びている。凸部８３の上端面が当接面８４（位置決め面の一例）である。当接面８４は、傾斜面１５５の下端と連続しており、上方を向いている。当接面８４は、前後方向において、後述されるＩＣ基板６４とロック面１５１との間に位置する。
【００８５】
図３に示されるように、当接面８４は、装着状態において下方から位置決め部１０７と当接することによって、インクカートリッジ３０の上下方向における位置決めの基準となる。当接面８４は、上カバー３１Ｕと同一の部材に形成されている。なお、傾斜面１５５は任意の構成であり、当接面８４とロック面１５１との間が連続した面で構成されていなくてもよい。例えば、当接面８４を構成する凸部８３と、ロック面１５１を構成する凸部４３とが、連続せずに独立して各々が上方に突出していてもよい。
【００８６】
［遮光板６７］
図４〜図６に示されるように、上壁３９の上面に、上方に突出する遮光板６７（被照射部の一例）が形成されている。遮光板６７は、前後方向に延びている。遮光板６７は、凸部８３よりも前方に位置している。遮光板６７は、ＩＣ基板６４よりも前方かつ下方に位置している。本実施形態において、遮光板６７は、例えば光を吸収可能な色材料（黒色顔料）を含む樹脂製の板である。その他の形態としては、遮光板６７は、光を透過可能な板の側面にアルミ箔などの光が透過不能な材料が貼り付けられたものであってもよい。
【００８７】
遮光板６７は、インクカートリッジ３０が起立状態において、左右方向に進行する光学センサ１１３の光を遮断する。より詳細には、光学センサ１１３の発光部から出力された光が受光部に到達するまでの間に遮光板６７に当たることによって、受光部に到達する光の強度が所定の強度未満、例えば、ゼロとなる。遮光板６７は、光が発光部から受光部に進むのを遮断してもよいし減衰させてもよい。また、発光部から受光部に進む光の進む方向を変えるようにしてもよい。
【００８８】
［大気連通口９６］
図４に示されるように、上壁３９の上面のうち前端部にあるサブ上壁９１の後端から、サブ前壁９５が上方へ延びている。サブ前壁９５は前方を向く面である。サブ前壁９５に、大気連通口９６が形成されている。大気連通口９６は、筐体３１の上下方向の寸法の中心より上方に配置されている。大気連通口９６は、サブ前壁９５に形成された略円形の開口である。大気連通口９６の内径は、カートリッジ装着部１１０のロッド１２５（図３参照）の外径より大きい。
【００８９】
図３に示されるように、インクカートリッジ３０がカートリッジ装着部１１０に装着される過程において、ロッド１２５が大気連通口９６に進入する。大気連通口９６に進入したロッド１２５は、大気連通口９６を封止するバルブ９７をコイルばね９８の付勢力に抗して後方へ移動させる。バルブ９７が後方へ移動して大気連通口９６から離れることにより、第１貯留室３２が大気開放される。なお、大気連通口９６を封止する部材は、バルブ９７に限定されない。例えば、サブ前壁９５から剥離可能なシールによって大気連通口９６が封止されてもよい。
【００９０】
［ＩＣ基板６４］
図４〜図６に示されるように、凸部８３の上端に、ＩＣ基板６４（電気的インターフェースの一例）が設けられている。ＩＣ基板６４は、遮光板６７より後方且つ凸部４３より前方に設けられている。つまり、ＩＣ基板６４は、前後方向において遮光板６７と凸部４３との間に設けられている。ＩＣ基板６４は、当接面８４より前方に設けられている。ＩＣ基板６４は、インクカートリッジ３０が起立状態において、上方を向いて配置されている。ＩＣ基板６４は、インクカートリッジ３０が起立状態において、左右方向及び前後方向に延びる板である。
【００９１】
ＩＣ基板６４は、当接面８４より前方に位置して下方へ凹む凹空間において、凸部８３に下方から支持されている。各図には詳細に現れていないが、凸部８３の凹空間には光硬化性樹脂が充填されており、ＩＣ基板６４が凸部８３に接着されている。なお、ＩＣ基板６４は、光硬化性樹脂以外の接着剤によって凸部８３に接着されていてもよいし、嵌合などの接着以外の手段によって凸部８３に取り付けられていてもよい。
【００９２】
図３に示されるように、ＩＣ基板６４は、インクカートリッジ３０がカートリッジ装着部１１０に挿入される過程において接点１０６と接触して電気的に導通し、且つインクカートリッジ３０がカートリッジ装着部１１０に装着された装着状態においても接点１０６と接触して電気的に導通する。
【００９３】
図５に示されるように、ＩＣ基板６４は、シリコンやガラスエポキシなどで形成された基板に、ＩＣ（各図には現れていない）と、４つの電極６５が搭載されたものである。なお、ＩＣ基板６４は、可橈性を有するフレキシブル基板であってもよい。
【００９４】
ＩＣは、半導体集積回路である。インクカートリッジ３０に関する情報が、ＩＣに読み出し可能に格納されている。インクカートリッジ３０に関する情報は、例えば、ロット番号や製造年月日、インク色などの情報を示すデータである。
【００９５】
各電極６５はＩＣと電気的に接続されている。各電極６５は、それぞれが前後方向に沿って延出されている。各電極６５は、ＩＣ基板６４の上面に、左右方向に離間されて並んで配置されている。各電極６５は、ＩＣ基板６４の上面に電気的にアクセス可能に露出されている。
【００９６】
［移動部材１６０］
図４、図５、及び図９に示されるように、上壁３９の上面に、移動部材１６０が配置されている。移動部材１６０は、上壁３９によって前後方向に沿ってスライド可能に支持されている。
【００９７】
移動部材１６０は、被覆板１６１と、一対の側板１６２と、一対の凸部１６３とを備えている。
【００９８】
被覆板１６１は、前後方向及び左右方向の長さが上下方向の長さよりも長い板形状である。
【００９９】
一対の側板１６２は、被覆板１６１の右端及び左端から下方へ突出している。各側板１６２は、前後方向に延びている。一対の側板１６２は、左右方向に対向している。
【０１００】
一対の凸部１６３の一方は、一対の側板１６２のうち右方に位置する側板１６２の下端部から左方へ突出している。一対の凸部１６３の他方は、一対の側板１６２のうち左方に位置する側板１６２の下端部から右方へ突出している。一対の凸部１６３は、左右方向に対向している。
【０１０１】
図９に示されるように、凸部８３の右面の下端部、及び凸部８３の左面の下端部に、前後方向に延びた溝１６４が形成されている。一対の凸部１６３は、溝１６４に挿入されている。詳細には、一対の凸部１６３のうち右方に位置する凸部１６３は、凸部８３の右面に形成された溝１６４に挿入している。また、一対の凸部１６３のうち左方に位置する凸部１６３は、凸部８３の左面に形成された溝１６４に挿入している。また、一対の側板１６２の下端及び一対の凸部１６３の下端は、下方から上壁３９に当接されている。以上の構成より、移動部材１６０は、上壁３９によって前後方向に沿ってスライド可能に支持されている。
【０１０２】
なお、移動部材１６０が上壁３９によって支持される構成は、図９に示される構成に限らず、他の公知の構成が採用可能である。また、移動部材１６０の形状は、図９に示される形状に限らない。
【０１０３】
移動部材１６０は、図４及び図１０（Ａ）に示される第１位置と、図５及び図１０（Ｂ）に示される第２位置とに移動可能である。第１位置及び第２位置は、互いに前後方向に離れた位置である。第２位置は、第１位置よりも後方に位置する。
【０１０４】
図４及び図１０（Ａ）に示されるように、第１位置の移動部材１６０は、ＩＣ基板６４を上方から覆う。前記の「覆う」とは、以下の３つの条件を満たすことである。第１の条件は、移動部材１６０（本実施形態では被覆板１６１）がＩＣ基板６４の上方に位置していることである。第２の条件は、インクカートリッジ３０を上方から下方に視て移動部材１６０の少なくとも一部とＩＣ基板６４の少なくとも一部とが重複していることである。第３の条件は、インクカートリッジ３０がカートリッジ装着部１１０に挿入される過程及び装着状態において、ＩＣ基板６４の電極６５の接点１０６に対する接触と電気的導通とが移動部材１６０によって阻害されることである。
【０１０５】
本実施形態では、移動部材１６０が第１位置のとき、インクカートリッジ３０を上方から下方に視て移動部材１６０の被覆板１６１の一部（具体的には被覆板１６１の周縁部を除く部分）とＩＣ基板６４の全部とが重複している。
【０１０６】
図５及び図１０（Ｂ）に示されるように、第２位置の移動部材１６０は、ＩＣ基板６４より後方に位置しており、ＩＣ基板６４を上方から覆わない。ここで、「覆わない」とは、以下の２つの条件を満たすことである。第１の条件は、インクカートリッジ３０を上方から下方に視て移動部材１６０とＩＣ基板６４との重複面積が、移動部材１６０が第１位置のときの移動部材１６０とＩＣ基板６４との重複面積よりも小さいことである。移動部材１６０が第２位置のときの前記の重複面積はゼロを含む。第２の条件は、インクカートリッジ３０がカートリッジ装着部１１０に挿入される過程及び装着状態において、ＩＣ基板６４の電極６５の接点１０６に対する接触と電気的導通とが移動部材１６０によって阻害されていないことである。つまり、第１の条件と第２の条件を満たす限り、インクカートリッジ３０を上方から下方に視て第２位置の移動部材１６０とＩＣ基板６４とが重複していてもよい。
【０１０７】
本実施形態では、移動部材１６０が第２位置のとき、移動部材１６０はＩＣ基板６４の後端よりも後方に位置している。つまり、移動部材１６０が第２位置のとき、インクカートリッジ３０を上方から下方に視て移動部材１６０とＩＣ基板６４とは重複していない。すなわち、上記の重複面積はゼロである。
【０１０８】
図４及び図１０（Ａ）に示されるように、第１位置の移動部材１６０は、遮光板６７よりも後方に位置する。また、第１位置の移動部材１６０の一対の凸部１６３の前端は、凸部８３の溝１６４の前端を画定する面と当接している。これにより、移動部材１６０の第１位置よりも前方への移動は規制されている。
【０１０９】
一方、図５及び図１０（Ｂ）に示されるように、第２位置の移動部材１６０は、当接面８４及び保持部（凸部４３）よりも前方に位置する。また、第２位置の移動部材１６０の一対の凸部１６３の後端は、凸部８３の溝１６４の後端を画定する面と当接している。これにより、移動部材１６０の第２位置よりも後方への移動は規制されている。
【０１１０】
以上より、移動部材１６０の移動範囲は、図１０に「Ｒ」で示されるように、遮光板６７よりも後方且つ当接面８４及び保持部よりも前方である。換言すると、移動部材１６０の移動範囲は、前後方向において遮光板６７と当接面８４との間である。
【０１１１】
図７に示されるように、移動部材１６０の一部（本実施形態では移動部材１６０の上端部）は、図７において一点鎖線で示される仮想線１６５よりも上方に位置する。仮想線１６５は、凸部４３よりなる保持部と、遮光板６７とを通る仮想線のうち最も上方に位置する線である。本実施形態では、仮想線１６５は、凸部４３の上端を構成する水平面１５４の前端と、遮光板６７の上端とを通る線である。もちろん、仮想線１６５の位置及び方向は、保持部の位置及び形状と、遮光板６７の位置及び形状とによって変わり得る。また、仮想線１６５よりも上方に位置するのは、移動部材１６０の上端部に限らない。例えば、移動部材１６０の全部が、仮想線１６５よりも上方に位置していてもよい。
【０１１２】
［筐体３１の内部構造］
図７に示されるように、筐体３１の内部には、第１貯留室３２、第２貯留室３３、インクバルブ室３５、及び大気バルブ室３６が形成されている。第１貯留室３２、第２貯留室３３、及び大気バルブ室３６は、内部空間の一例である。インクバルブ室３５は、液体流路の一例である。第１貯留室３２、第２貯留室３３、インクバルブ室３５、及び大気バルブ室３６には、インクが貯留可能である。筐体３１の内部には、第１貯留室３２と大気バルブ室３６とを隔てる隔壁４４と、第１貯留室３２と第２貯留室３３とを隔てる下壁４５とが設けられている。隔壁４４及び下壁４５は、それぞれが前後方向及び左右方向に拡がる壁である。隔壁４４と下壁４５とは、上下方向に対向して配置されている。
【０１１３】
第１貯留室３２は、隔壁４４の下面により上部が画定され、下壁４５の上面により下部が画定され、前壁４０、後壁４１、及び側壁３７、３８それぞれの内面により前部、後部、右部、及び左部がそれぞれ画定された空間である。隔壁４４には貫通孔４６が形成されている。貫通孔４６によって、第１貯留室３２と大気バルブ室３６とが連通されている。
【０１１４】
第２貯留室３３は、第１貯留室３２の下方に位置する。第２貯留室３３がインクを貯留可能な容積は、第１貯留室３２がインクを貯留可能な容積より小さい。
【０１１５】
第２貯留室３３は、下壁４５の下面により上部が画定され、下壁４２の上面により下部が画定され、後壁４１及び側壁３７、３８の各内面により後部、右部、及び左部がそれぞれ画定された空間である。第２貯留室３３とインクバルブ室３５との間には隔壁５０が形成されている。隔壁５０によって第２貯留室３３の前部が画定されている。第２貯留室３３は、下壁４５に形成された連通口（不図示）によって第１貯留室３２と連通されている。また、第２貯留室３３は、隔壁５０に形成された貫通孔９９によって、インクバルブ室３５と連通されている。
【０１１６】
大気バルブ室３６には、バルブ９７及びコイルばね９８が収容されている。大気バルブ室３６は、サブ前壁９５に形成された大気連通口９６によって外部と連通している。バルブ９７は、大気連通口９６を封止する閉位置と、大気連通口９６から離れた開位置とに移動可能である。コイルばね９８は、前後方向に沿って伸縮可能に配置されており、バルブ９７を大気連通口９６へ当接する方向、すなわち前方へ付勢している。コイルばね９８のバネ定数は、インク供給部３４のコイルばね７８のバネ定数よりも小さい。
【０１１７】
インク供給部３４は、円筒形状の外形をなしている。インク供給部３４は、前端が開口された筒７５と、パッキング７６と、を備えている。筒７５は、サブ前壁４９から前方へ突出している。つまり、インク供給部３４は、サブ前壁４９に設けられている。筒７５の内部空間が、インクバルブ室３５である。インクバルブ室３５は、インクカートリッジ３０が起立状態において、前後方向に延びる空間である。インクバルブ室３５の後端は、貫通孔９９によって第２貯留室３３と連通されている。筒７５の前端は、インクカートリッジ３０の外部に開口している。つまり、インクバルブ室３５は、第２貯留室３３とインクカートリッジ３０の外部とを連通する。換言すると、インクバルブ室３５は、第２貯留室３３のインクを外部に対し前方に向かって流出可能に延びている。筒７５の前端には、パッキング７６が設けられている。つまり、パッキング７６は、インクバルブ室３５の前端部に配置されている。
【０１１８】
インクバルブ室３５には、バルブ７７及びコイルばね７８が収容されている。バルブ７７は、前後方向に沿って移動することにより、パッキング７６の中央に貫通されたインク供給口７１（液体供給口の一例）を開閉する。コイルばね７８はバルブ７７を前方へ付勢している。したがって、外力が付与されていない状態において、バルブ７７は、パッキング７６のインク供給口７１を閉じている。
【０１１９】
パッキング７６は、中央に貫通孔が形成された円盤形状の部材である。パッキング７６は、例えば、ゴムやエラストマのような弾性材料から形成されている。パッキング７６の中央が前後方向に貫通されることにより、筒状の内周面が形成されている。当該筒状の内周面により、インク供給口７１が形成されている。インク供給口７１の内径は、インクニードル１０２の外径より若干小さい。インク供給口７１は、筒７５の内部空間（インクバルブ室３５）とインクカートリッジ３０の外部とを連通している。つまり、インクバルブ室３５は、前方へ開口したインク供給口７１を通じて第２貯留室３３とインクカートリッジ３０の外部とを連通している。
【０１２０】
バルブ７７がインク供給口７１を閉じている状態において、インクカートリッジ３０がカートリッジ装着部１１０に挿入されると、図３に示されるように、インク供給口７１にインクニードル１０２が進入する。インクニードル１０２は、パッキング７６を弾性変形しつつ、その外周面がインク供給口７１を画定する内周面に液密に接触する。つまり、インクバルブ室３５とインクカートリッジ３０の外部とのインク供給口７１を介した連通が、液密に封止される。インクニードル１０２の先端がパッキング７６に形成されたインク供給口７１を通過してインクバルブ室３５へ進入すると、バルブ７７に当接する。さらにインクカートリッジ３０がカートリッジ装着部１１０へ挿入されることにより、インクニードル１０２がバルブ７７をコイルばね７８の付勢力に抗して後方へ移動させる。これにより、インクバルブ室３５に貯留されているインクがインクニードル１０２の内部空間１０２Ａへ流通することが可能となる。
【０１２１】
なお、インク供給口７１は、バルブ７７に代えてフィルムによって封止されていてもよい。その場合、インク供給口７１は、パッキング７６ではなく筒７５の前端であってもよい。また、インク供給口７１は、貫通孔を有しない弾性樹脂などのシール部材において、ニードルなどが穿刺されることによって形成されてもよい。この場合、インク供給口７１は、ニードルがシール部材から抜き出されると、シール部材の弾性によって封止されるように構成されてもよい。また、インク供給部３４は、円筒形状の部材として実現される必要はない。例えば，筐体３１の前壁４０に、前壁４０を前後方向に貫く貫通孔が形成されてもよい。この場合、インク供給部３４は、この貫通孔が形成された前壁４０によってその一部が構成される。
【０１２２】
［インクカートリッジ３０がカートリッジ装着部１１０へ装着される動作］
以下、インクカートリッジ３０がカートリッジ装着部１１０に装着される動作が説明される。
【０１２３】
図７に示されるように、カートリッジ装着部１１０に装着される前のインクカートリッジ３０において、バルブ７７は、パッキング７６のインク供給口７１を閉じている。これにより、インクバルブ室３５からインクカートリッジ３０の外部へのインクの流通は遮断されている。また、バルブ９７は、大気連通口９６を閉じている。これにより、第１貯留室３２は、大気開放されていない。
【０１２４】
また、カートリッジ装着部１１０に装着される前のインクカートリッジ３０において、移動部材１６０は、図７に破線で示されるように、第１位置に位置する。これにより、ＩＣ基板６４への異物の付着が低減されている。但し、移動部材１６０が第１位置のままで、インクカートリッジ３０がカートリッジ装着部１１０へ装着された場合、ＩＣ基板６４の電極６５の接点１０６に対する接触と電気的導通とが移動部材１６０によって阻害される。そこで、インクカートリッジ３０がカートリッジ装着部１１０に挿入される前に、移動部材１６０は、ユーザなどによって第１位置から図７に実線で示される第２位置へ移動される。
【０１２５】
インクカートリッジ３０は、起立状態で、カートリッジ装着部１１０の開口１１２を通じてカートリッジケース１０１（図２参照）へ挿入される。筐体３１の後壁４１の上部分４１Ｕは下部分４１Ｌよりも後方に位置している。つまり、上部分４１Ｕは下部分４１Ｌよりもユーザの近くに位置している。そのため、ユーザは、上部分４１Ｕを押しつつインクカートリッジ３０をカートリッジ装着部１１０に対して前方へ挿入する。インクカートリッジ３０の下部は、カートリッジケース１０１の下方のガイド溝１０９（図２参照）に進入した状態となる。
【０１２６】
図８に示されるように、インクカートリッジ３０がカートリッジケース１０１へ挿入されると、インク供給部３４がガイド部１０５に進入する。また、ロッド１２５が大気連通口９６に進入する。また、光学センサ１１３の発光部と受光部との間に、遮光板６７（図７参照）が位置する。
【０１２７】
インクカートリッジ３０の前壁４０がカートリッジケース１０１の奥面付近まで挿入されると、インクニードル１０２がインク供給口７１を通じてインクバルブ室３５に進入して、バルブ７７をコイルばね７８の付勢力に抗してパッキング７６から離間させる。これにより、インク供給部３４が位置決めされる。また、インクバルブ室３５に貯留されているインクがインクニードル１０２の内部空間１０２Ａへ流通することが可能となる。また、大気連通口９６に進入したロッド１２５は、バルブ９７と当接して、コイルばね９８の付勢力に抗してバルブ９７を大気連通口９６から離間させる。これにより、第１貯留室３２が貫通孔４６、大気バルブ室３６、及び大気連通口９６を介して大気開放される。
【０１２８】
インクカートリッジ３０には、圧縮されたコイルばね７８、９８により生ずる後方への付勢力が作用する。各コイルばね７８、９８によりそれぞれ生ずる付勢力の大きさは、バネ定数と自然長から圧縮された距離とにより決まる。コイルばね９８のバネ定数は、コイルばね７８のバネ定数より小さく、また、コイルばね７８が圧縮された距離（バルブ７７がインク供給口７１から離れた距離）は、コイルばね９８が圧縮された距離（バルブ９７が大気連通口９６から離れた距離）よりも長い。その結果、コイルばね７８により生ずる付勢力の大きさは、コイルばね９８により生ずる付勢力の大きさより大きい。
【０１２９】
また、凸部４３がロックシャフト１４５へ到達し、傾斜面１５５がロックシャフト１４５に対して摺動する。インクカートリッジ３０には、後壁４１の上部分４１Ｕをユーザが前方へ押すことにより、図８における反時計回りに回転モーメントが加わっている。しかし、傾斜面１５５とロックシャフト１４５との当接により、この回転モーメントに反して、インクカートリッジ３０は、インクニードル１０２が挿入されたパッキング７６のインク供給口７１の中心Ｃを回動中心として回動する。インクカートリッジ３０における中心Ｃの位置は、インクニードル１０２の形状とインク供給口７１の形状によるが、インクニードル１０２と筒状のインク供給部３４の内面とが接触する部分の中心が仮想的な回動中心である。本実施形態では、インクニードル１０２における、インク供給口７１を画定するパッキング７６の内周面が接触している部分の中心を仮想的な回動中心として時計回りに回動する。このときのインクカートリッジ３０の姿勢（図８に示されるインクカートリッジ３０の姿勢）が第２姿勢と称される。
【０１３０】
筐体３１の下壁４２が前後方向に対して傾斜した傾斜面であることにより、下壁４２とカートリッジケース１０１のガイド溝１０９の底面との間には、前述した回動（時計回りの回動）のためのスペースがある。また、ロッド１２５の外径よりも大気連通口９６の内径が大きいので、ロッド１２５と大気連通口９６との間には、前述した回動（時計回りの回動）のためのスペースが有り、装着位置のインクカートリッジ３０において、ロッド１２５と大気連通口９６とは当接しない。つまり、ロッド１２５と大気連通口９６との間においては、上下方向の位置決めがなされていない。
【０１３１】
インクカートリッジ３０がカートリッジケース１０１に挿入されることにより、接点１０６の下方にＩＣ基板６４が到達する。前述した回動によって、第２姿勢のインクカートリッジ３０において、ＩＣ基板６４の電極６５と接点１０６との間には上下方向において空間が存在する。つまり、電極６５と接点１０６とは離間している。また、位置決め部１０７の下方に当接面８４が到達するが、第２姿勢のインクカートリッジ３０において、位置決め部１０７と当接面８４との間には上下方向において空間が存在する。つまり、位置決め部１０７と当接面８４とは離間している。
【０１３２】
コイルばね７８の付勢力に抗して、インクカートリッジ３０が前方へ挿入されると、凸部４３の傾斜面１５５及び水平面１５４がロックシャフト１４５よりカートリッジケース１０１の奥面に近い位置となる。つまり、インクカートリッジ３０が装着位置に位置し、装着状態となる。この状態のときの第２姿勢のインクカートリッジ３０において、ロック面１５１は、ロックシャフト１４５より下方に位置する。
【０１３３】
インクカートリッジ３０には、後壁４１の上部分４１Ｕをユーザが前方へ押すことにより、図８における反時計回りに回転モーメントが加わっている。よって、傾斜面１５５及び水平面１５４がロックシャフト１４５と当接しなくなることにより、ユーザの力によって、コイルばね９８の付勢力に抗して、インクカートリッジ３０は、インクニードル１０２が挿入されたパッキング７６のインク供給口７１の中心Ｃを回動中心として図８における反時計回りに回動する。そして、当接面８４が下方から位置決め部１０７と当接する（図３参照）。
【０１３４】
インクカートリッジ３０が図３に示される姿勢にあるときに、ロック面１５１は、後方へ向かってロックシャフト１４５と向かい合う。ユーザがインクカートリッジ３０を前方へ押し込むことを止めると、インクカートリッジ３０は、コイルばね７８の付勢力によって後方へ移動する。ロック面１５１は後方へ向かってロックシャフト１４５と向かい合っているので、インクカートリッジ３０が後方へ移動すると、ロック面１５１が前方からロックシャフト１４５と当接する。これにより、インクカートリッジ３０が後方へ移動することが規制される。また、当接面８４が下方から位置決め部１０７と当接することにより、インクカートリッジ３０が上方へ移動すること、すなわち中心Ｃを回動中心として反時計回りに回動することが規制される。その結果、インクカートリッジ３０はカートリッジ装着部１１０内に位置決めされて装着が完了した状態となる。このときのインクカートリッジ３０の姿勢（図３に示されるインクカートリッジ３０の姿勢）が第１姿勢と称される。
【０１３５】
以上より、インクカートリッジ３０は、装着状態において、中心Ｃを回動中心として回動することによって、第１姿勢と第２姿勢とに姿勢変化可能である。
【０１３６】
装着状態のとき、ＩＣ基板６４は、インクニードル１０２より後方に位置する。また、装着状態且つインクカートリッジ３０が第１姿勢のとき、ＩＣ基板６４の電極６５は、下方から接点１０６に当接している。つまり、電極６５は、接点１０６を上方へ弾性変形させつつ電気的に接触している。
【０１３７】
なお、上述したように、インクカートリッジ３０がカートリッジ装着部１１０に挿入される前に、移動部材１６０は第１位置から第２位置へ移動されているため、電極６５と接点１０６との接触は、移動部材１６０によって阻害されない。
【０１３８】
また、装着状態のとき、遮光板６７は、光学センサ１１３の発光部と受光部との間に位置する。これにより、遮光板６７は、光が発光部から受光部に進むのを遮断している。以上より、光学センサ１１３は、装着状態において、発光部から照射される光の光路上に遮光板６７が位置する位置に配置されている。
【０１３９】
インクカートリッジ３０がカートリッジ装着部１１０から脱抜されるときには、ユーザは、操作面９２を下方へ押す。インクカートリッジ３０が第１姿勢である状態において、操作面９２は、上方かつ後方を向いている。そのため、ユーザが操作面９２を操作すると、インクカートリッジ３０には下方及び前方へ力が作用する。当該力によって、インクカートリッジ３０は図３における時計回りに回動する。これにより、図８に示されるように、当接面８４が位置決め部１０７から離間する。また、ロック面１５１がロックシャフト１４５よりも下方に位置する。すなわち、インクカートリッジ３０が第１姿勢から第２姿勢へ姿勢変化する。そうすると、コイルばね７８の付勢力によって、インクカートリッジ３０はカートリッジ装着部１１０に対して後方へ移動する。これにより、ユーザはインクカートリッジ３０をカートリッジ装着部１１０から取り出すことができる。
【０１４０】
［インクカートリッジ３０のカートリッジ装着部１１０への装着検知］
以下、図１１及び図１２に示されるフローチャートを参照しつつ、インクカートリッジ３０のカートリッジ装着部１１０への挿入検知が説明される。
【０１４１】
図１１に示されるように、制御部１（図１参照）は、インクカートリッジ３０のＩＣ基板６４にアクセス可能か否かを判定する（Ｓ１０）。接点１０６がＩＣ基板６４に接触して電気的に導通している場合、制御部１はＩＣ基板６４にアクセス可能である。接点１０６がＩＣ基板６４に接触していない場合、制御部１はＩＣ基板６４にアクセス不可能である。
【０１４２】
制御部１は、ＩＣ基板６４にアクセス不可能である場合（Ｓ１０：Ｎｏ）、カートリッジ装着部１１０にインクカートリッジ３０が装着されていないと判定する（Ｓ２０）。この場合、制御部１は、プリンタ１０の筐体に設けられた表示パネル（不図示）へのメッセージの表示や、スピーカー（不図示）からのブザーや音声などによって、ユーザへ「インクカートリッジ３０が装着されていない」旨を報知する。
【０１４３】
一方、制御部１は、ＩＣ基板６４にアクセス可能である場合（Ｓ１０：Ｙｅｓ）、光学センサ１１３が制御部１へ出力した信号がハイレベル及びローレベルの何れかであるかを判定する。光学センサ１１３の発光部と受光部との間に遮光板６７が位置する場合、光学センサ１１３はローレベル信号を制御部１へ出力する。光学センサ１１３の発光部と受光部との間に遮光板６７が位置しない場合、光学センサ１１３はハイレベル信号を制御部１へ出力する。
【０１４４】
制御部１は、光学センサ１１３が制御部１へ出力した信号がハイレベルである場合（Ｓ３０：Ｈｉｇｈ）、カートリッジ装着部１１０に正常でないインクカートリッジ３０が装着されていると判定する（Ｓ４０）。この場合、制御部１は、プリンタ１０の筐体に設けられた表示パネル（不図示）へのメッセージの表示や、スピーカー（不図示）からのブザーや音声などによって、ユーザへ「正常でないインクカートリッジ３０が装着されている」旨を報知する。
【０１４５】
一方、制御部１は、光学センサ１１３が制御部１へ出力した信号がローレベルである場合（Ｓ３０：Ｌｏｗ）、カートリッジ装着部１１０に正常なインクカートリッジ３０が装着されていると判定する（Ｓ５０）。
【０１４６】
図１１のフローチャートでは、制御部１は、ＩＣ基板６４へのアクセスの可否に基づいてカートリッジ装着部１１０へのインクカートリッジ３０の装着の有無を判定し、光学センサ１１３から出力された信号のレベルに基づいてカートリッジ装着部１１０に装着されたインクカートリッジ３０が正常なものであるか否かを判定した。
【０１４７】
しかしながら、制御部１は、光学センサ１１３から出力された信号のレベルに基づいてカートリッジ装着部１１０へのインクカートリッジ３０の装着の有無を判定し、ＩＣ基板６４へのアクセスの可否に基づいてカートリッジ装着部１１０に装着されたインクカートリッジ３０が正常なものであるか否かを判定してもよい。以下、この場合の判定手順が、図１２のフローチャートを参照しつつ説明される。
【０１４８】
図１２に示されるように、制御部１は、光学センサ１１３が制御部１へ出力した信号がハイレベル及びローレベルの何れかであるかを判定する（Ｓ１１０）。
【０１４９】
制御部１は、光学センサ１１３が制御部１へ出力した信号がハイレベルである場合（Ｓ１１０：Ｈｉｇｈ）、カートリッジ装着部１１０にインクカートリッジ３０が装着されていないと判定する（Ｓ１２０）。この場合、図１１のステップＳ２０と同様に、ユーザへ「インクカートリッジ３０が装着されていない」旨を報知する。
【０１５０】
一方、制御部１は、光学センサ１１３が制御部１へ出力した信号がローレベルである場合（Ｓ１１０：Ｌｏｗ）、インクカートリッジ３０のＩＣ基板６４にアクセス可能か否かを判定する（Ｓ１３０）。
【０１５１】
制御部１は、ＩＣ基板６４にアクセス不可能である場合（Ｓ１３０：Ｎｏ）、カートリッジ装着部１１０に正常でないインクカートリッジ３０が装着されていると判定する（Ｓ１４０）。この場合、図１１のステップＳ４０と同様に、ユーザへ「正常でないインクカートリッジ３０が装着されている」旨を報知する。
【０１５２】
一方、制御部１は、ＩＣ基板６４にアクセス可能である場合（Ｓ１３０：Ｙｅｓ）、カートリッジ装着部１１０に正常なインクカートリッジ３０が装着されていると判定する（Ｓ１５０）。
【０１５３】
［本実施形態の作用効果］
本実施形態によれば、移動部材１６０を第１位置に位置させることによって、ＩＣ基板６４への異物の付着を低減することができる。また、移動部材１６０を第２位置に位置させることによって、ＩＣ基板６４を接点１０６との接触が可能な状態とすることができる。
【０１５４】
また、本実施形態によれば、移動部材１６０は前後方向に沿ってスライドする。そのため、移動部材１６０が第１位置及び第２位置に移動する構成を単純な構成で実現することができる。
【０１５５】
また、本実施形態のように移動部材１６０の移動範囲を図１０に「Ｒ」で示された範囲に制限することによって、移動部材１６０の第１位置及び第２位置の間の移動距離が短くなる。これにより、移動部材１６０の移動時におけるがたつきを低減することができる。その結果、移動部材１６０が他の部材（例えば遮光板６７や保持部）に引っ掛かることによって移動部材１６０の移動が阻害されることを低減することができる。
【０１５６】
また、本実施形態によれば、図７に示されるように、移動部材１６０の上端部が仮想線１６５よりも上方に位置する。そのため、筐体３１の上面が下になる姿勢でインクカートリッジ３０が落下したときに、移動部材１６０を地面などに優先して衝突させることによって、遮光板６７や保持部が地面などに衝突する可能性を低くすることができる。これにより、遮光板６７や保持部が外部から衝撃を受けて破損する可能性を低くすることができる。
【０１５７】
［変形例］
上記実施形態では、第２位置は、第１位置よりも後方に位置していた。そして、移動部材１６０は、インクカートリッジ３０がカートリッジ装着部１１０に装着される前に、ユーザによって第１位置から第２位置へ移動された。しかし、移動部材１６０は、インクカートリッジ３０がカートリッジ装着部１１０に装着される過程において、前方からカートリッジ装着部１１０に当接されて後方へ押されることにより、第１位置から第２位置へ移動するように構成されていてもよい。
【０１５８】
上記変形例によれば、インクカートリッジ３０のカートリッジ装着部１１０への装着に連動して、移動部材１６０を第１位置から第２位置へ移動させることができる。
【０１５９】
また、上記のように、移動部材１６０が前方からカートリッジ装着部１１０に当接されて後方へ押されることにより、第１位置から第２位置へ移動するように構成されている場合、移動部材１６０は、図１３に示されるように、コイルばね１６６などの付勢部材によって第１位置に付勢されていてもよい。この場合、第１位置の移動部材１６０は、インクカートリッジ３０がカートリッジ装着部１１０に挿入される過程において、前方からカートリッジ装着部１１０に当接されて後方へ押されることによって、コイルばね１６６の付勢力に抗して第１位置から第２位置へ移動する（図１４参照）。
【０１６０】
図１３及び図１４に示される変形例によれば、インクカートリッジ３０のカートリッジ装着部１１０への装着に連動して、移動部材１６０をコイルばね１６６の付勢力に抗して第１位置から第２位置へ移動させることができる。
【０１６１】
また、図１３及び図１４に示される変形例によれば、インクカートリッジ３０がカートリッジ装着部１１０から脱抜されると、移動部材１６０はコイルばね１６６に付勢されて第２位置から第１位置へ移動する。つまり、インクカートリッジ３０のカートリッジ装着部１１０からの脱抜に連動して、移動部材１６０を第２位置から第１位置へ移動させることができる。
【０１６２】
上記実施形態では、第２位置は、第１位置よりも後方に位置していた。しかし、図１５（Ａ）に示されるように、第２位置（図１５（Ａ）に実線で示された移動部材１６０の位置）は、第１位置（図１５（Ａ）に破線で示された移動部材１６０の位置）よりも前方に位置していてもよい。この場合、第１位置の移動部材１６０は、遮光板６７より後方に位置することが望ましい。
【０１６３】
上記実施形態では、第１位置及び第２位置は、互いに前後方向に離れた位置であった。そして、移動部材１６０は、前後方向にスライドすることによって第１位置及び第２位置に移動した。
【０１６４】
しかし、第１位置及び第２位置は、互いに前後方向以外に離れた位置であってもよい。また、移動部材１６０は、前後方向に沿ったスライド以外によって第１位置及び第２位置に移動してもよい。
【０１６５】
例えば、図１５（Ｂ）に示されるように、第２位置（図１５（Ｂ）に実線で示された移動部材１６０の位置）は、第１位置（図１５（Ｂ）に破線で示された移動部材１６０の位置）の右方に位置していてもよい。この場合、移動部材１６０は、左右方向にスライドすることによって第１位置及び第２位置に移動する。なお、移動部材１６０を左右方向にスライドさせる構成は、公知の構成が採用可能である。
【０１６６】
また、例えば、図１５（Ｃ）に示されるように、第２位置（図１５（Ｃ）に実線で示された移動部材１６０の位置）は、第１位置（図１５（Ｃ）に破線で示された移動部材１６０の位置）の右後方に位置してもよい。この場合、移動部材１６０は、例えば、矢印１６７の方向に回動することによって、第１位置及び第２位置に移動可能である。なお、移動部材１６０を矢印１６７の方向に回動させる構成は、公知の構成が採用可能である。
【０１６７】
上記実施形態では、移動部材１６０の移動範囲は、前後方向において遮光板６７と当接面８４及び保持部との間であったが、この範囲に限らない。例えば、移動部材１６０は、遮光板６７より前方へ移動してもよいし、当接面８４より後方へ移動してもよい。
【０１６８】
上記実施形態では、移動部材１６０の少なくとも一部が、仮想線１６５よりも上方に位置していた。しかし、移動部材１６０は、仮想線１６５より下方に位置していてもよい。
【０１６９】
インクカートリッジ３０は、図４〜図６に示されたような構成に限らない。例えば、インクカートリッジ３０は、図１６に示されるような構成であってもよい。図１６に示されるように、インクカートリッジ３０の外形は、概ね直方体に構成されており、インクカートリッジ３０は、遮光板６７、当接面８４を含む凸部８３、保持部（凸部４３）などを備えていない。図１６に示される構成では、上記実施形態と同様に、移動部材１６０は、前後方向に沿って第１位置及び第２位置に移動するが、上記の変形例で説明したように移動部材１６０の移動方向は前後方向に限らない。図１６において、第２位置の移動部材１６０が実線で示されており、第１位置の移動部材１６０が破線で示されている。
【０１７０】
また、図１６に示されるインクカートリッジ３０は、ロック面１５１を含む保持部を備えていない。しかし、図１６に示されるインクカートリッジ３０は、装着状態において、インク供給口７１に進入したインクニードル１０２（図２参照）のパッキング７６の内周面に対する摺動抵抗によって、カートリッジ装着部１１０に装着された状態に保持可能である。
【０１７１】
つまり、インクカートリッジ３０がカートリッジ装着部１１０に装着された状態に保持する構成は、インクカートリッジ３０の第１姿勢及び第２姿勢への回動とロック面１５１とによるものに限らない。
【０１７２】
また、図１６に示される構成のインクカートリッジ３０は、コイルばね７８、９８を備えていない。つまり、インクカートリッジ３０は、後方へ向かう付勢力に抗してカートリッジ装着部１１０に挿入されるものでなくてもよい。
【０１７３】
また、上記実施形態では、インクが液体の一例として説明されているが、例えば、インクに代えて、印刷時にインクに先立って用紙などに吐出される前処理液が液体カートリッジに貯留されていてもよい。また、記録ヘッド２１を洗浄するための水が液体カートリッジに貯留されていてもよい。
【符号の説明】
【０１７４】
３０・・・インクカートリッジ（液体カートリッジ）
３１・・・筐体（本体）
３２・・・第１貯留室（内部空間）
３５・・・インクバルブ室（液体流路）
６４・・・ＩＣ基板（電気的インターフェース）
７１・・・インク供給口（液体供給口）
１０６・・・接点
１６０・・・移動部材
【図１】
2019064044.tif 000003
【図２】
2019064044.tif 000004
【図３】
2019064044.tif 000005
【図４】
2019064044.tif 000006
【図５】
2019064044.tif 000007
【図６】
2019064044.tif 000008
【図７】
2019064044.tif 000009
【図８】
2019064044.tif 000010
【図９】
2019064044.tif 000011
【図１０】
2019064044.tif 000012
【図１１】
2019064044.tif 000013
【図１２】
2019064044.tif 000014
【図１３】
2019064044.tif 000015
【図１４】
2019064044.tif 000016
【図１５】
2019064044.tif 000017
【図１６】
2019064044.tif 000018